(57)【特許請求の範囲】
【請求項１】
垂直同期信号を含むテレビジョン信号を受信し、該受信したテレビジョン信号をＰＬＬ同期検波によってＡＭ復調してコンポジットビデオ信号を得、該得られたコンポジット同期信号に基づいて垂直同期信号を検出し、該検出した垂直同期信号に応じて前記テレビジョン信号の垂直帰線期間内に複数の受信アンテナを順次切り換え接続したときに検出した信号レベルに基づいて前記複数のアンテナのなかから最適な受信アンテナを選定して接続するダイバーシティ動作を行い、前記テレビジョン信号を受信するダイバーシティ受信装置において、
前記垂直同期信号を検出する垂直同期信号検出手段と、
前記垂直同期信号検出手段により垂直同期信号が検出された場合、前記ダイバーシティ動作を実行するダイバーシティ動作実行手段と、
前記垂直同期信号検出手段により垂直同期信号が検出されない場合、前記垂直同期信号検出手段により垂直同期信号が再検出されるまで、予め定められた順番に従い次のアンテナに切り換える動作を、前記切り換えたアンテナにより受信したテレビジョン信号について有効な検波出力が得られるのに必要な所定期間毎に繰り返すアンテナ順次切り換え手段と、
を備えたことを特徴とするダイバーシティ受信装置。
【請求項２】
垂直同期信号を含むテレビジョン信号を受信し、該受信したテレビジョン信号をＰＬＬ同期検波によってＡＭ復調してコンポジットビデオ信号を得、該得られたコンポジット同期信号に基づいて垂直同期信号を検出し、該検出した垂直同期信号に応じて前記テレビジョン信号の垂直帰線期間内に複数の受信アンテナを順次切り換え接続したときに検出した信号レベルに基づいて前記複数のアンテナのなかから最適な受信アンテナを選定して接続するダイバーシティ動作を行い、前記テレビジョン信号を受信するダイバーシティ受信装置において、
前記垂直同期信号を検出する垂直同期信号検出手段と、
前記垂直同期信号検出手段により垂直同期信号が検出された場合、前記ダイバーシティ動作を実行するダイバーシティ動作実行手段と、
前記ダイバーシティ動作実行手段により最も選択頻度の高いアンテナを記憶する高頻度アンテナ記憶手段と、
前記垂直同期信号検出手段により垂直同期信号が検出されない場合、前記高頻度アンテナ記憶手段に記憶された選択頻度の高いアンテナを先頭に、前記垂直同期信号検出手段により垂直同期信号が再検出されるまで、予め定められた順番に従い次のアンテナに切り換える動作を、前記切り換えたアンテナにより受信したテレビジョン信号について有効な検波出力が得られるのに必要な所定期間毎に繰り返すアンテナ順次切り換え手段と、
を備えたことを特徴とするダイバーシティ受信装置。
【請求項３】
垂直同期信号を含むテレビジョン信号を受信し、該受信したテレビジョン信号をＰＬＬ同期検波によってＡＭ復調してコンポジットビデオ信号を得、該得られたコンポジット同期信号に基づいて垂直同期信号を検出し、該検出した垂直同期信号に応じて前記テレビジョン信号の垂直帰線期間内に複数の受信アンテナを順次切り換え接続したときに検出した信号レベルに基づいて最適な受信アンテナを選定して接続するダイバーシティ動作を行い、前記テレビジョン信号を受信するダイバーシティ受信方法において、
前記垂直同期信号を検出する垂直同期信号検出ステップと、
前記垂直同期信号検出ステップにより垂直同期信号が検出された場合、前記ダイバーシティ動作を実行するダイバーシティ動作実行ステップと、
前記垂直同期信号検出ステップにより垂直同期信号が検出されない場合、前記垂直同期信号検出ステップにより垂直同期信号が再検出されるまで、予め定められた順番に従い次のアンテナに切り換える動作を、前記切り換えたアンテナにより受信したテレビジョン信号について有効な検波出力が得られるのに必要な所定期間毎に繰り返すアンテナ順次切り換えステップと、
を含むことを特徴とするダイバーシティ受信方法。
【発明の詳細な説明】
【０００１】
【発明の属する技術分野】
本発明は、複数のアンテナの中から良好な受信状態を自動的に選択してテレビジョン信号などの無線信号を受信するダイバーシティ受信技術に係り、特に受信電界強度が良好でない状況におけるダイバーシティ受信装置及び方法に関する。
【０００２】
【従来の技術】
自動車等の移動体（車両等）に搭載されるテレビジョン受信機では、一般に対マルチパス方式としてのダイバーシティを行う機能を有し、受信環境への自動的な追従動作を実現するダイバーシティアンテナ型受信機が採用されている。これは、車両等に搭載されるテレビジョン受信機は、走行中、アンテナの位置や方向や高さが時々刻々と変化するためであり、家庭用の据え置き型テレビジョン受信機のアンテナのように固定された、１本のアンテナでは、電波の良好な受信状態を維持できないためである。
【０００３】
ダイバーシティアンテナ型の車両用テレビジョン受信機では、取り付け高さや指向性を異ならせた複数のアンテナが車体に設けられ、定期的に別のアンテナによる電波の受信電界強度を順番に計測して、新たに計測されたアンテナの受信電界強度が、それ以前に接続されていたアンテナ（元のアンテナ）の受信電界強度より高い場合には、受信電界強度の高い新しいアンテナへと接続を切り換えるための制御が為される。
【０００４】
そして、この操作（制御）を繰り返すことにより、順次受信電界強度の高いアンテナが選択されることで、即ち、複数のアンテナの中から、車両の時々刻々に変化する位置や方向や高さに適合した最良の受信状態のアンテナ（常に最大の受信電界強度を有するアンテナ）が選択制御されることで、最良の受信状態のアンテナを使用したテレビジョン放送の受信が可能となる。
【０００５】
以上の制御におけるアンテナの切り換えは、一般に、テレビジョン信号の垂直帰線消去期間においてなされるようになっている。これは、テレビジョン信号における垂直帰線消去期間以外の部分には実際に表示される画像情報を担う信号が存在するので、この部分においてレベル検出やアンテナの切り換えが行われた場合、画面上にノイズ（白く細長いノイズ）となって現れてしまうからである。
【０００６】
しかしながら、このような従来のダイバーシティ受信装置及び方法においては、受信電界強度が良好な時には走査線の垂直帰線消去期間において、複数設けられたテレビジョンアンテナを順次に切り換え、テレビジョン電波に含まれる映像信号を利用して、各アンテナからの映像信号のレベルを比較して受信電界強度が最大のアンテナを選択するため、映像信号への影響がなく優れたアンテナ切り換え手段である一方、例えばテレビジョン電波の受信状況（受信電界強度）が良好でなくなった時等には、映像信号のレベルが弱くなり、実質的に最大レベルのアンテナを選択しなくなるという現象が発生する。
【０００７】
これにより、受信電界強度が非常に弱い場所を走行している場合には、各アンテナより受信した検波出力にノイズが重畳する。ダイバーシティ装置は比較すべき検波出力ではなくこれらノイズのレベルを比較してアンテナを切り換えるため、一種のチャタリング状態を起こし、頻繁に、無意味なアンテナの切り換えが実行されるという現象が発生する。
【０００８】
さらに、近年、ビデオ信号再生系において、中間周波信号をＡＭ（Amplitude Modulation）復調してコンポジットビデオ信号を再生するためのＡＭ検波回路として、ＰＬＬ同期検波方式による検波方式（以下、同期検波方式という）が採用されるようになってきている。
【０００９】
これは、電圧制御発信器（ＶＣＯ）の出力と映像中間周波の搬送波とを位相検波器で比較して、ＰＬＬ（ Phase Locked Loop）を形成させ、スイッチング信号とその搬送波が常に同相になるようにしたもので、ひずみのない検波波形を得ることができることを特徴とする。尚、このロック検波方式では、映像信号を検知し、チャンネル切り換え等が発生した場合にはループが解除される。
【００１０】
ところで、この同期検波方式による同期検波回路では、例えば、ノイズの発生や受信電界強度が良好でなくなることによって、いったん検波出力の同期がはずれ（ＰＬＬロックがはずれ）、その後受信電界強度が良好となった場合など、再び同期をとった後（ＰＬＬがロックした後）、若干遅れて検波出力が行われる（図８のｘ１からｘ２）ため、図８のａに示す如くに、数msec（図８では約３msec）の遅延が発生する。
【００１１】
また、検波出力が行われている場合でも、図８のａに示す期間において、図９に示すｘ３のタイミングにて、あるアンテナが選択されたとすると、ｂの期間（約２μsec） のチューナの遅延を経た後の、当該同期検波回路における検波出力は、積分することにより電位が上がってしまうような振る舞いを示すため、このタイミング（図８のａに示す期間内全て）における、ｂの期間（約２μsec） の遅延を経た後に、アンテナレベル（受信電界強度）のサンプリングを行った場合に、当該アンテナのみを選択しない異常モードになるという問題（不具合）が発生する。
【００１２】
尚、図８はＡＭ検波回路としてＰＬＬ同期検波方式による検波方式が採用された場合における検波出力とアンテナ切り換え用のドライブ電圧との関係を示した図であり、図９はＰＬＬ同期検波方式によるＡＭ検波回路において、検波出力の同期がはずれている状態で、映像信号の検波出力レベルをサンプリングした場合における検波出力とアンテナドライブ電圧との関係を示した図である。
【００１３】
【発明が解決しようとする課題】
以上、述べたように従来のテレビジョンダイバーの切り換え装置では、ＡＭ検波回路として、チューナの検波出力が出るまでに時間のかかるものである場合、ダイバーシティが正しいアンテナを選択するのに時間がかかり、チューナによっては、入力のあるアンテナだけを選択しない異常モードに陥るという問題（不具合）が発生する。
【００１４】
また、チューナの検波出力が出ている場合であっても、弱入力のために映像信号にノイズが重畳され、この信号のレベルを比較してしまっているような場合には、アンテナが誤選択されてしまうという問題（不具合）が発生する。
本発明は、このような問題に鑑みてなされたもので、ＴＶチューナが離調した場合、速やかに且つ正確に正しいアンテナを選択し離調を解消し得るダイバーシティ受信方法及び装置を提供することを目的とするものである。
【００１５】
【課題を解決するための手段】
上記目的を達成するため、本発明により為された請求項１に記載のダイバーシティ受信装置は、垂直同期信号を含むテレビジョン信号を受信し、該受信したテレビジョン信号をＰＬＬ同期検波によってＡＭ復調してコンポジットビデオ信号を得、該得られたコンポジット同期信号に基づいて垂直同期信号を検出し、該検出した垂直同期信号に応じて前記テレビジョン信号の垂直帰線期間内に複数の受信アンテナを順次切り換え接続したときに検出した信号レベルに基づいて最適な受信アンテナを選定して接続するダイバーシティ動作を行い、前記テレビジョン信号を受信するダイバーシティ受信装置において、前記垂直同期信号を検出する垂直同期信号検出手段と、前記垂直同期信号検出手段により垂直同期信号が検出された場合、前記ダイバーシティ動作を実行するダイバーシティ動作実行手段と、前記垂直同期信号検出手段により垂直同期信号が検出されない場合、前記垂直同期信号検出手段により垂直同期信号が再検出されるまで、予め定められた順番に従い次のアンテナに切り換える動作を、前記切り換えたアンテナにより受信したテレビジョン信号について有効な検波出力が得られるのに必要な所定期間毎に繰り返すアンテナ順次切り換え手段と、を備えて構成されることを特徴とするものである。
【００１６】
また、本発明により為された請求項２に記載のダイバーシティ受信装置は、垂直同期信号を含むテレビジョン信号を受信し、該受信したテレビジョン信号をＰＬＬ同期検波によってＡＭ復調してコンポジットビデオ信号を得、該得られたコンポジット同期信号に基づいて垂直同期信号を検出し、該検出した垂直同期信号に応じて前記テレビジョン信号の垂直帰線期間内に複数の受信アンテナを順次切り換え接続したときに検出した信号レベルに基づいて前記複数のアンテナのなかから最適な受信アンテナを選定して接続するダイバーシティ動作を行い、前記テレビジョン信号を受信するダイバーシティ受信装置において、前記垂直同期信号を検出する垂直同期信号検出手段と、前記垂直同期信号検出手段により垂直同期信号が検出された場合、前記ダイバーシティ動作を実行するダイバーシティ動作実行手段と、前記ダイバーシティ動作実行手段により最も選択頻度の高いアンテナを記憶する高頻度アンテナ記憶手段と、前記垂直同期信号検出手段により垂直同期信号が検出されない場合、前記高頻度アンテナ記憶手段に記憶された選択頻度の高いアンテナを先頭に、前記垂直同期信号検出手段により垂直同期信号が再検出されるまで、予め定められた順番に従い次のアンテナに切り換える動作を、前記切り換えたアンテナにより受信したテレビジョン信号について有効な検波出力が得られるのに必要な所定期間毎に繰り返すアンテナ順次切り換え手段と、を備えて構成されることを特徴とするものである。
【００２１】
また、本発明により為された請求項２に記載のダイバーシティ受信方法は、垂直同期信号を含むテレビジョン信号を受信し、該受信したテレビジョン信号をＰＬＬ同期検波によってＡＭ復調してコンポジットビデオ信号を得、該得られたコンポジット同期信号に基づいて垂直同期信号を検出し、該検出した垂直同期信号に応じて前記テレビジョン信号の垂直帰線期間内に複数の受信アンテナを順次切り換え接続したときに検出した信号レベルに基づいて最適な受信アンテナを選定して接続するダイバーシティ動作を行い、前記テレビジョン信号を受信するダイバーシティ受信方法において、前記垂直同期信号を検出する垂直同期信号検出ステップと、前記垂直同期信号検出ステップにより垂直同期信号が検出された場合、前記ダイバーシティ動作を実行するダイバーシティ動作実行ステップと、前記垂直同期信号検出ステップにより垂直同期信号が検出されない場合、前記垂直同期信号検出ステップにより垂直同期信号が再検出されるまで、予め定められた順番に従い次のアンテナに切り換える動作を、前記切り換えたアンテナにより受信したテレビジョン信号について有効な検波出力が得られるのに必要な所定期間毎に繰り返すアンテナ順次切り換えステップと、を含むことを特徴とするものである。
【００２５】
【発明の実施の形態】
以下、本発明の第１の実施の形態について図面を参照して説明を行う。
図１は、本発明におけるダイバーシティ受信装置をテレビジョン受信装置に適用した第１の実施の形態を示すブロック図である。
【００２６】
図１において、この装置は、例えば車載用のテレビジョン受信機の如き移動されつつ使用されるタイプのものであって、空間ダイバーシティを実現するための４つの受信アンテナＡＮＴ１〜ＡＮＴ４を備え、またはこれらの受信信号出力端と接続され、各アンテナは切り換え器（ＲＦ−ＳＷ）１に電気的に結合されている。切り換え器１は、４つのアンテナのうちのいずれか１つの受信出力を選択し、選択したアンテナからのＲＦ（Radio Frequency)信号を受信信号としてビデオ信号再生系２に供給する。
【００２７】
ビデオ信号再生系２は、復調手段を担い、切り換え器１からの受信信号を中間周波信号に変換するフロントエンドたる同調回路（図示せず）と、中間周波信号を増幅する映像中間周波増幅器２１と、増幅器２１によって増幅された中間周波信号をＡＭ（Amplitude Modulation）復調してコンポジットビデオ信号を出力するＡＭ検波回路２２とにより構成される。
【００２８】
コンポジットビデオ信号は、図示しない種々の再生回路及び増幅回路を経て表示手段であるＣＲＴ（Cathode-Ray Tube）２ｘに供給される。ＣＲＴ２ｘは、コンポジットビデオ信号に応じた画像表示を行う。表示手段としては、ＣＲＴ以外にも液晶ディスプレイ等も適用可能である。
【００２９】
ビデオ信号再生系２からのコンポジットビデオ信号は、クランプ回路４０によってそのシンクチップのレベルを一定にされた後、ＬＰＦ６０，波形整形回路４１及び制御部５にそれぞれ供給される。
波形整形回路４１は、供給されたコンポジットビデオ信号から純然たるビデオ情報を担う部分（以下、「ビデオ信号」ともいう）を除き、各種同期信号及び垂直帰線消去信号のみを含むコンポジット同期信号を生成し、これを低域通過フィルタ（ＬＰＦ）６０に供給する。ＬＰＦ６０により、当該コンポジット同期信号における等化パルスによる２ｆＨ（ｆＨは水平同期周波数）の成分が排除され、コンポジット同期信号の高域成分が減衰される。
【００３０】
これにより、ＬＰＦ６０の出力からは、ｆＨの周波数成分に応じた信号が得られることとなる。また、ＬＰＦ６０の出力は、位相比較器６１の一方の入力端に供給される。そして、位相比較器６１は一方の入力信号と他方の入力信号とを比較し両者の位相差に応じた位相誤差信号をＬＰＦ６２へ出力する。ＬＰＦ６２を経た位相誤差信号は、制御信号としてＶＣＯ（Voltage-Controlled Oscillator)６３に供給される。
【００３１】
ＶＣＯ６３は、中心周波数を３２ｆＨとし、供給される制御信号に応じてその中心周波数から偏倚させて発振し、その発振出力信号を制御部５及び分周器６４に供給する。分周器６４は、ＶＣＯ６３からの発振出力信号を分周しｆＨの周波数を有する信号を生成しこれを制御部５及び位相比較器６１の他方の入力端に供給する。位相比較器６１，ＬＰＦ６２，ＶＣＯ６３及び分周器６４は、いわゆる位相同期ループ（ＰＬＬ）を形成し、受信したコンポジットビデオ信号の水平同期周波数に追従し、当該コンポジットビデオ信号の水平同期信号に同期したクロック信号を生成する。
【００３２】
また、波形整形回路４１からのコンポジット同期信号は、反転回路８１に供給される。反転回路８１によって反転されたコンポジット同期信号は、ＬＰＦ８２を介してレベル比較器８３の一方の入力端に供給される。レベル比較器８３は、ＬＰＦ８２の出力信号であるコンポジット同期信号の積分出力を基準電圧レベルＶｒと比較し、ＬＰＦ８２の出力信号が基準電圧レベルＶｒよりも大きいときにのみ高レベルとなる信号を生成しこれを制御部５に供給する。
【００３３】
生成されたこの高レベル信号は、垂直同期信号と同等の周波数（ｆｖ）を有するので、反転回路８１，ＬＰＦ８２及びレベル比較器８３によって、コンポジット同期信号から垂直同期信号が検知されたことになる（以下、レベル比較器８３の出力信号を等価垂直同期信号という）。
【００３４】
このように、ビデオ信号再生系２，クランプ回路４０，波形整形回路４１，及び制御部５によってＳＮ比測定手段の主要部が構成される。
制御部５にはまた、切り換え器（ＲＦ−ＳＷ）１に内蔵される図示しないアンテナ未接続検出回路により発生された検出信号が供給される。アンテナ未接続検出回路は、切り換え器１の内部信号に基づいてアンテナＡＮＴ１〜ＡＮＴ４の何れが当該切り換え器に接続されていないかを識別し、その識別結果に応じた検出信号をアンテナ接続情報として出力する。
【００３５】
制御部５は、マイクロコンピュータ等によって構成され、供給された信号及び与えられた情報に基づいて受信機各部の制御を行う。
上記制御には、ビデオ信号のＳＮ比を測定する処理や、測定されたＳＮ比の評価及びコンポジットビデオ信号の垂直帰線消去期間におけるペデスタルレベルの検出に基づいて最適な受信アンテナを選定する処理などが含まれる。アンテナ選定処理においては、制御部５がアンテナ切換信号ＳＥＬ１〜ＳＥＬ４を切り換え器１に供給し、切り換え器１は、このアンテナ切換信号に応じてアンテナＡＮＴ１〜ＡＮＴ４のいずれか１つの出力をビデオ信号再生系２へ中継する。
【００３６】
次に、以上のように構成されたダイバーシティ受信装置の動作について、図２及び図４を参照しながら説明を行う。尚、図２は本発明の第１の実施の形態におけるダイバーシティ受信装置のダイバーシティ動作を示すフローチャートであって、図４は制御部のアンテナ選定処理（ダイバーシティ処理）動作のタイミングを示すタイムチャートである。
【００３７】
デフォルトの状態として、当該アンテナ選定処理直前に接続されていたアンテナがアンテナＡＮＴ１であり、制御器５はアンテナＡＮＴ１を電気的に接続させるためのアンテナ切換信号ＳＥＬ１をアンテナ切り換え器１に供給しているものとする。
【００３８】
ダイバーシティ受信装置における制御部５の動作として、先ず受信電界強度が良好な場合について説明を行う。
制御部５は、垂直同期信号が検出されると、即ちレベル比較器８３の出力信号として垂直同期信号が検出されると、アンテナの選定処理（ダイバーシティ処理）を行う（ステップＵ１，Ｕ４）。
【００３９】
ここで、アンテナの選定処理は、以下の如くに行われる。即ち、垂直同期信号が検出されたと判断した制御部５は、図４に示される如くに、時刻Ｔ１に示すサンプリングタイミング（例えば、７Ｈ等価パルス期間の後半部のペデスタルレベルにおける所定のタイミング）にて、アンテナＡＮＴ１によって受信され、ビデオ信号再生系２より供給された、コンポジットビデオ信号のペデスタルレベルを取り込み、アンテナＡＮＴ１のアンテナ出力を得る。
【００４０】
続いて、制御部５は、時刻Ｔ２に示すサンプリングタイミング（例えば、８Ｈ等価パルス期間の前半部におけるペデスタルレベルの所定のタイミング）にて、アンテナＡＮＴ２により受信されたテレビジョン信号が、ビデオ信号再生系２よりＡＭ検波信号として得られるよう、切り換え器（ＲＦ−ＳＷ）１をアンテナ切換信号ＳＥＬ１〜ＳＥＬ４によって制御し、ビデオ信号再生系２より供給されたコンポジットビデオ信号のペデスタルレベルを取り込み、アンテナＡＮＴ２のアンテナ出力を得る。
【００４１】
同様に、制御部５は、時刻Ｔ３に示すサンプリングタイミング（例えば、８Ｈ等価パルス期間の後半部におけるペデスタルレベルの所定のタイミング）にて、アンテナＡＮＴ３により受信されたテレビジョン信号が、ビデオ信号再生系２よりＡＭ検波信号として得られるよう、切り換え器（ＲＦ−ＳＷ）１をアンテナ切換信号ＳＥＬ１〜ＳＥＬ４によって制御し、ビデオ信号再生系２より供給されたコンポジットビデオ信号のペデスタルレベルを取り込み、アンテナＡＮＴ３のアンテナ出力を得る。
【００４２】
さらに同様に、制御部５は、時刻Ｔ４に示すサンプリングタイミング（例えば、９Ｈ等価パルス期間の前半部におけるペデスタルレベルの所定のタイミング）にて、アンテナＡＮＴ４により受信されたテレビジョン信号が、ビデオ信号再生系２よりＡＭ検波信号として得られるよう、切り換え器（ＲＦ−ＳＷ）１をアンテナ切換信号ＳＥＬ１〜ＳＥＬ４によって制御し、ビデオ信号再生系２より供給されたコンポジットビデオ信号のペデスタルレベルを取り込み、アンテナＡＮＴ４のアンテナ出力を得る。
【００４３】
以上のようにして、アンテナＡＮＴ１乃至アンテナＡＮＴ４についてのアンテナ出力が得られると、即ち、アンテナ選定処理が完了すると、制御器５は、前記アンテナ選定処理においてサンプリングしたペデスタルレベルのうちの最も低いもの（アンテナ）を求め、これを切り換え器（ＲＦ−ＳＷ）１により、常時接続されるアンテナとして設定し（ステップＵ５）、ステップＵ１に戻る。尚、図４では常時接続されるアンテナとして、アンテナＡＮＴ３が新たに設定された状態が示されている。
【００４４】
次に、ダイバーシティ受信装置における制御部５の動作として、受信電界強度が不良となった場合について説明を行う。
制御部５は、垂直同期信号が検出されないと（検出されなくなった場合）、即ち、レベル比較器８３の出力信号として垂直同期信号が検出されないと、予め定められた順番に従い、現在、常時接続されるアンテナとして設定されているアンテナの次のアンテナに、設定の変更（常時接続されるアンテナの変更）を行う（ステップＵ１，Ｕ２）。尚、この変更のタイミングは垂直同期信号に依存しないタイミングによって行われる。
【００４５】
その後、一定の時間、例えば３Ｖ（３フィールド）期間に相当する時間経過するのを待って、ステップＵ１に戻り、垂直同期信号の検出が行われる。この際、受信電界強度の不良が続いた場合、垂直同期信号が検出されず、ステップＵ１，Ｕ２，Ｕ３の処理が連続して行われることになる。
【００４６】
なお、上記の説明で、同期がとれていない（垂直同期信号が検出されていない）状態ではアンテナ選定処理（ステップＵ４）が行われないものとして説明したが、同期がとれていない状態においてもアンテナ選定処理が行われるようにしてもよい。ただし、この場合には、アンテナ選定処理に基づいたアンテナ切り換え処理（ステップＵ５）を行わないようにする。
【００４７】
以上により、即ち全てのアンテナをまんべんなく選択することによって、各アンテナを選択したときに、検波出力（有効な検波出力）が出るまでの十分な時間を、チューナの検波出力が出るまでに時間のかかるＡＭ検波回路に対しても与えることができる。
【００４８】
次に、本発明の第２の実施の形態について図面を参照して説明を行う。
本発明におけるダイバーシティ受信装置の構成は、図１の本発明の第１の実施の形態を示すブロック図と同様であるので、説明は省略する。
以下、本発明の第２の実施の形態の動作について、図１，図３及び図４を参照しながら説明を行う。図３は本発明のダイバーシティ受信装置の第２の実施の形態におけるダイバーシティ動作を示すフローチャートである。
【００４９】
既述の本発明の第１の実施の形態の動作説明と同様に、デフォルトの状態として、当該アンテナ選定処理直前に接続されていたアンテナがアンテナＡＮＴ１であり、制御器４はアンテナＡＮＴ１を電気的に接続させるためのアンテナ切換信号ＳＥＬ１をアンテナ切り換え器１に供給しているものとする。
【００５０】
ダイバーシティ受信装置における制御部５の動作として、先ず受信電界強度が良好な場合について説明を行う。
制御部５は、垂直同期信号が検出されると、即ちレベル比較器８３の出力信号として垂直同期信号が検出されると、前回（１Ｖ期間前）にも垂直同期信号が検出されていたか否かを図示しないメモリの内容を検索するなどして調べる。その結果、今回と前回の少なくとも２回、連続して垂直同期信号が検出されたと判断されると、アンテナの選定処理（ダイバーシティ処理）を行う（ステップＳ１，Ｓ２，Ｓ９）。
【００５１】
アンテナ選定処理が完了し、アンテナＡＮＴ１乃至アンテナＡＮＴ４についてのアンテナ出力が得られると、制御器５は、前記アンテナ選定処理においてサンプリングしたペデスタルレベルのうちの最も低いもの（アンテナ）を求め、これを切り換え器（ＲＦ−ＳＷ）１により、常時接続されるアンテナとして設定し（ステップＳ１０）、ステップＳ１に戻る。尚、図４では常時接続されるアンテナとして、アンテナＡＮＴ３が新たに設定された状態が示されている。
【００５２】
次に、ダイバーシティ受信装置における制御部５の動作として、受信電界強度が不良となった場合について説明を行う。
制御部５は、垂直同期信号が検出されないと（検出されなくなった場合）、即ち、レベル比較器８３の出力信号として垂直同期信号が検出されないと、予め定められた順番に従い、現在、常時接続されるアンテナとして設定されているアンテナの次のアンテナに、設定の変更（常時接続されるアンテナの変更）を行う（ステップＳ１，Ｓ７）。尚、この変更のタイミングは垂直同期信号に依存しないタイミングによって行われる。
【００５３】
その後、一定の時間、例えば３Ｖ（３フィールド）期間に相当する時間経過するのを待って、ステップＳ１に戻り、垂直同期信号の検出が行われる。この際、受信電界強度の不良が続いた場合、垂直同期信号が検出されず、ステップＳ１，Ｓ７，Ｓ８の処理が連続して行われることになる。
【００５４】
なお、上記の説明で、同期がとれていない（垂直同期信号が検出されていない）状態ではアンテナ選定処理（ステップＳ９）が行われないものとして説明したが、同期がとれていない状態においてもアンテナ選定処理が行われるようにしてもよい。ただし、この場合には、アンテナ選定処理に基づいたアンテナ切り換え処理（ステップＳ１０）を行わないようにする。
【００５５】
以上により、即ち全てのアンテナをまんべんなく選択することによって、各アンテナを選択したときに、検波出力が出るまでの十分な時間を、チューナの検波出力が出るまでに時間のかかるＡＭ検波回路に対しても与えることができる。
次に、ダイバーシティ受信装置における制御部５の動作として、受信電界強度が不良から良好となった場合について説明を行う。
【００５６】
制御部５は、垂直同期信号が検出されると、即ちレベル比較器８３の出力信号として垂直同期信号が検出されると、前回（１Ｖ期間前）にも垂直同期信号が検出されていたか否かを図示しないメモリの内容を検索するなどして調べる。その結果、前回は、垂直同期信号が検出されていないと判断されると、アンテナの選定処理（ダイバーシティ処理）を行う（ステップＳ１，Ｓ２，Ｓ３）。
【００５７】
ステップＳ３のアンテナの選定処理が完了し、アンテナ切換処理（常時接続されるアンテナの変更）の動作が開始されると、制御部５は、一定の時間、例えば１Ｖ（１フィールド）期間に相当する時間経過するのを待って、再度、垂直同期信号が検出されたか否かの検出を行う（ステップＳ４，Ｓ５，Ｓ６）。
【００５８】
ステップＳ６にて、再度垂直同期信号が検出された場合には、アンテナの選定処理を行い（ステップＳ９）、その結果に基づき、現在、常時接続されるアンテナとして設定されているアンテナの切換処理を行い（ステップＳ１０）、ステップＳ１に戻る。
【００５９】
以上の処理により、即ち、制御部５により１回目の垂直同期信号が検出されてから一定時間が経過するのを待って、２回目の垂直同期信号が検出されるのを確認してから、アンテナの選定処理を行い（ステップＳ９）、その結果に基づき、現在、常時接続されるアンテナとして設定されているアンテナの切換処理（ステップＳ１０）を行うようにしたので、検波出力が出るまでの十分な時間を、検波出力の遅いチューナに対しても与えることができ、より正確なアンテナ選択（アンテナ選定処理）を行うことができる。また、チューナの検波出力が出ている場合であっても、即ち、検波出力の遅くないチューナにおいても、弱入力のために映像信号にノイズが重畳され、この信号のレベルを比較してしまうことで、アンテナが誤選択されてしまう不具合を低減することができる。
【００６０】
次に、本発明の第３の実施の形態について図面を参照して説明を行う。
図５は、本発明におけるダイバーシティ受信装置の第３の実施の形態を示すブロック図である。
図５と図１とにおける構成上の違いは、図１の制御部５が内部にアンテナ選択頻度テーブルを記憶するアンテナ選択頻度記憶手段３を備えた点にある。図６にアンテナ選択頻度テーブルの一例を示す。尚、図５のそれ以外の構成要素については、図１と同様であるので、同一の部分には同一の符号を付し、説明は省略する。また、図６のアンテナ選択頻度テーブルには、例えば、常に最新の１分程度あるいは１分以下（例えば２秒程度）の期間におけるアンテナ選択回数が記憶されているものとする。
【００６１】
以下、本発明の第３の実施の形態の動作について、図７を参照しながら説明を行う。図７は本発明のダイバーシティ受信装置の第３の実施の形態におけるダイバーシティ動作を示すフローチャートである。
既述の本発明の第１の実施の形態の動作説明と同様に、デフォルトの状態として、当該アンテナ選定処理直前に接続されていたアンテナ（常時接続されるアンテナ）がアンテナＡＮＴ１であり、制御器４はアンテナＡＮＴ１を電気的に接続させる（常時接続されるアンテナとして設定する）ためのアンテナ切換信号ＳＥＬ１をアンテナ切り換え器１に供給しているものとする。
【００６２】
ダイバーシティ受信装置における制御部４の動作として、先ず受信電界強度が良好な場合について説明を行う。
制御部４は、垂直同期信号が検出されると、即ち、レベル比較器８３の出力信号として垂直同期信号が検出されると、前回（１Ｖ期間前）にも垂直同期信号が検出されていたか否かを、図示しないメモリの内容を検索するなどして調べる。その結果、今回と前回の少なくとも２回、連続して垂直同期信号が検出されたと判断されると、アンテナの選定処理（ダイバーシティ処理）を行う（ステップＴ１，Ｔ２，Ｔ９）。尚、アンテナの選定処理は、既述の本発明の第一の実施の形態において説明した通りである。
【００６３】
アンテナ選定処理が完了すると、制御器４は、前記アンテナ選定処理においてサンプリングしたペデスタルレベルのうちの最も低いもの（アンテナ）を求め、これを切り換え器（ＲＦ−ＳＷ）１により、常時接続されるアンテナとして設定し（ステップＴ１０）、ステップＴ１に戻る。
【００６４】
次に、ダイバーシティ受信装置における制御部４の動作として、受信電界強度が不良となった場合について説明を行う。
制御部４は、垂直同期信号が検出されないと（検出されなくなった場合）、即ち、レベル比較器８３の出力信号として垂直同期信号が検出されない場合、例えば、前回または前々回の垂直同期信号の検出が行われた際に、垂直同期信号が検出されていたか否か、即ち、今まで検出されていた垂直同期信号が初めて検出されなくなったのか、または今まで検出されていた垂直同期信号が２度連続して検出されなくなったのかを、図示しないメモリの内容を検索するなどして調べる。
【００６５】
その結果、前回または前々回の垂直同期信号の検出が行われた際に、垂直同期信号が検出されていたと判断された場合、制御部４は、アンテナ選択頻度記憶手段３が記憶するアンテナ選択頻度テーブルを参照して、直近で、もっとも選択頻度の高い（常時接続されるアンテナとして選択された頻度の高い）アンテナに切換処理が行われる（ステップＴ１，Ｔ１１，Ｔ１２）。尚、本実施の形態では、図６のアンテナ選択頻度テーブルから明らかなように、常時接続されるアンテナとして選択された頻度の最も高い、アンテナＡＮＴ３に切換処理が行われる。
【００６６】
その後、一定の時間、例えば３Ｖ（３フィールド）期間に相当する時間が経過するのを待って（ステップＴ８）、ステップＴ１に戻り、再度、垂直同期信号の検出が行われる。
一方、ステップＴ１１にて、前回または前々回の垂直同期信号の検出が行われた際に、垂直同期信号が検出されていないと判断された場合、制御部４は、予め定められた順番に従って、現在常時接続されるアンテナとして設定されているアンテナを、次のアンテナに設定の変更（常時接続されるアンテナの変更）を行う（ステップＴ１，Ｔ１１，Ｔ７）。尚、この変更のタイミングは垂直同期信号に依存しないタイミングによって行われる。
【００６７】
その後、一定の時間、例えば３Ｖ（３フィールド）期間に相当する時間経過するのを待って（ステップＴ８）、ステップＴ１に戻り、再度、垂直同期信号の検出が行われる。
このように、本実施の形態では、受信電界強度が良好な状態（即ち垂直同期信号が検出される状態）から、不良な状態（即ち垂直同期信号が検出されない状態）へと変化した場合であって、最初と２度目の垂直同期信号の検出が行われた場合には、直近で、最も選択頻度の高いアンテナ（既述の通り、本実施の形態ではアンテナＡＮＴ３）に切換処理が行われる。即ち、受信電界強度が不良な状態となる直前のアンテナの選択頻度によって、決定される特定のアンテナ（図６に示す最も選択頻度の高いアンテナ）を長めに選択し、それでも当該アンテナを選択中に受信電界強度が不良な状態が回復しない場合には、順次、他のアンテナに切り換え処理が行われようになっている。これにより、垂直同期信号が検出されない状態が発生してから、できるだけ早くに垂直同期信号が検出される状態に戻るべく制御が為されるようになっている。
【００６８】
さて、この後、受信電界強度の不良が改善されない状況が続いた場合、垂直同期信号の検出がなされず、ステップＴ１，Ｔ１１，Ｔ７，Ｔ８の処理が連続して行われることになる。
なお、上記の説明で、同期がとれていない（垂直同期信号が検出されていない）状態では、アンテナ選定処理が行われないとして説明したが、アンテナ選定処理が行われた場合であっても、アンテナ切換処理（常時接続されるアンテナの変更）を行わないようにすれば同様の効果が得られることは勿論である。また、全てのアンテナをまんべんなく選択することによって、各アンテナを選択したときに、検波出力が出るまでの十分な時間を、チューナの検波出力が出るまでに時間のかかるＡＭ検波回路に対しても、与えることができる。
【００６９】
次に、図５に示す装置における制御部４の動作として、受信電界強度が不良から良好となった場合について説明を行う。
制御部４は、垂直同期信号が検出されると、即ちレベル比較器８３の出力信号として垂直同期信号が検出されると、前回（例えば、１Ｖ期間前）にも垂直同期信号が検出されていたか否かを、図示しないメモリの内容を検索するなどして調べる。その結果、前回垂直同期信号が検出されていないと判断されると、アンテナの選定処理（ダイバーシティ処理）が行われる（ステップＴ１，Ｔ２，Ｔ３）。
【００７０】
ステップＴ３のアンテナの選定処理が完了し、アンテナ切換処理（常時接続されるアンテナの変更）の動作が開始されると、制御部４は、一定の時間、例えば１Ｖ（１フィールド）期間に相当する時間経過するのを待って、再度、垂直同期信号が検出されたか否かの検出を行う（ステップＴ４，Ｔ５，Ｔ６）。
【００７１】
ステップＴ６にて、再度垂直同期信号が検出された場合には、アンテナの選定処理を行い（ステップＴ９）、その結果に基づいて、常時接続されるアンテナとして設定されているアンテナの切換処理を行い（ステップＴ１０）、ステップＴ１に戻る。一方、ステップＴ６にて、再度垂直同期信号が検出されなかった場合には、予め定められた順番に従って、現在常時接続されるアンテナとして設定されているアンテナを、次のアンテナに設定の変更（常時接続されるアンテナの変更）が行われ（ステップＴ７）、その後、一定の時間、例えば３Ｖ（３フィールド）期間に相当する時間経過するのを待って（ステップＴ８）、ステップＴ１に戻り、再度、垂直同期信号の検出が行われる。
【００７２】
以上の処理により、即ち、制御部４によって、１回目の垂直同期信号が検出されてから一定時間が経過するのを待って、２回目の垂直同期信号が検出されるのを確認してから、アンテナの選定処理を行い（ステップＴ９）、その結果に基づき、常時接続されるアンテナとして設定されているアンテナの切換処理（ステップＴ１０）が行われるようになっているため、検波出力が出るまでの十分な時間を、検波出力の遅いチューナに対しても与えることができ、より正確なアンテナ選択（アンテナ選定処理）を行うことができる。
【００７３】
また、チューナの検波出力が出ている場合であっても、即ち、検波出力の遅くないチューナにおいても、弱入力のために映像信号にノイズが重畳され、この信号のレベルを比較してしまうことで、アンテナが誤選択されてしまうといった不具合を低減することができる。
【００７４】
【発明の効果】
以上述べたように、請求項１又は３記載の発明によれば、テレビジョン信号をＰＬＬ同期検波によってＡＭ復調してコンポジットビデオ信号を得、得られたコンポジット同期信号に基づいて垂直同期信号を検出し、検出した垂直同期信号に応じてテレビジョン信号の垂直帰線期間内に複数の受信アンテナを順次切り換え接続したときに検出した信号レベルに基づいて最適な受信アンテナを選定して接続するダイバーシティ動作を行い、テレビジョン信号を受信するので、ひずみのない高品位な検波波形を得てコンポジットビデオ信号から垂直同期信号の検出をより容易に、且つ正確に行うことができる他、垂直同期信号が検出されない場合、垂直同期信号が再検出されるまで、予め定められた順番に従い次のアンテナに切り換える動作を、切り換えたアンテナにより受信したテレビジョン信号について有効な検波出力が得られるのに必要な所定期間毎に繰り返すので、検波出力が出るまでの十分な時間を検波出力の遅いチューナに対しても与えることがで、これによって、より正確なアンテナ選択（アンテナ選定処理）を行うことができる。また、チューナの検波出力が出ている場合であっても、即ち、検波出力の遅くないチューナにおいても、弱入力のために映像信号にノイズが重畳され、この信号のレベルを比較してしまうことで、アンテナが誤選択されてしまう不具合を低減することができる。
【００７７】
また、請求項２に記載の発明によれば、請求項１に記載の発明にさらに高頻度アンテナ記憶手段を加え、垂直同期信号が検出されなかった場合、高頻度アンテナ記憶手段に記憶された最も選択頻度の高いアンテナを先頭に、垂直同期信号が再検出されるまで、予め定められた順番に従い次のアンテナに切り換える動作を、切り換えたアンテナにより受信したテレビジョン信号について有効な検波出力が得られるのに必要な所定期間毎に繰り返すので、テレビジョン信号の受信電界強度が回復した際、さらにスムーズにダイバーシティ動作へ復帰することができる。
【図面の簡単な説明】
【図１】本発明におけるダイバーシティ受信装置の第１の実施の形態を示すブロック図である。
【図２】本発明のダイバーシティ受信装置の第１の実施の形態におけるダイバーシティ動作を示すフローチャートである。
【図３】本発明のダイバーシティ受信装置の第２の実施の形態におけるダイバーシティ動作を示すフローチャートである。
【図４】制御部のアンテナ選定処理（ダイバーシティ処理）動作のタイミングを示すタイムチャートである。
【図５】本発明におけるダイバーシティ受信装置の第３の実施の形態を示すブロック図である。
【図６】アンテナ選択頻度テーブルの一例を示す図である。
【図７】本発明のダイバーシティ受信装置の第３の実施の形態におけるダイバーシティ動作を示すフローチャートである。
【図８】ＡＭ検波回路としてＰＬＬ同期検波方式による検波方式が採用された場合における検波出力とアンテナドライブ電圧との関係を示した図である。
【図９】ＰＬＬ同期検波方式によるＡＭ検波回路において、検波出力の同期がはずれている状態で、映像信号の検波出力レベルをサンプリングした場合における検波出力とアンテナドライブ電圧との関係を示した図である。
【符号の説明】
１                  アンテナ切り換え器  ＲＦ−ＳＷ
２                  ビデオ信号再生系
３                  アンテナ選択頻度記憶手段
４，５              制御器
２１                映像中間周波増幅器
２２                ＡＭ検波回路
２ｘ                ＣＲＴ
４０                クランプ回路
４１                波形整形回路
６０                ＬＰＦ
６１                位相比較器
６２                ＬＰＦ
６３                ＶＣＯ
６４                分周器
８１                反転回路
８２                ＬＰＦ
８３                レベル比較器
ＡＮＴ１〜ＡＮＴ４  受信アンテナ
ＳＥＬ１〜ＳＥＬ４  アンテナ切換信号
【図１】
0003683407.tif 000002
【図２】
0003683407.tif 000003
【図３】
0003683407.tif 000004
【図４】
0003683407.tif 000005
【図５】
0003683407.tif 000006
【図６】
0003683407.tif 000007
【図７】
0003683407.tif 000008
【図８】
0003683407.tif 000009
【図９】
0003683407.tif 000010